(57)【特許請求の範囲】
【請求項１】
水が循環する水槽内に水平な狭幅の張出板を側面に複数突設した垂直の仕切板を水の流れ方向に略平行に且つ水槽の幅方向に沿って所定間隔おいて複数配列し、仕切板の張出板を水槽の幅方向の隣接する仕切板の側面に押し付けた状態で各仕切板を固定する固定手段を設け、隣接する仕切板同士を張出板の突設幅間隔に固定して循環する水流を受けても仕切板の揺動が少なく且つ各仕切板が個別に脱着できるようにした貝類の循環式飼育装置。
【請求項２】
固定手段が、水槽の壁面に面する仕切板の側面にボルトを水平に螺着し、同ボルトの先端を水槽の壁面に当ててボルトの螺着位置を変えることで仕切板の張出板を隣接する他の仕切板の側面へ押し付けて各仕切板を水槽に固定するようにしたものである請求項１記載の貝類の循環式飼育装置。
【請求項３】
張出板を上方から全部又は一部見えるようにずらして突設した請求項１又は２記載の貝類の循環式飼育装置。
【請求項４】
仕切板の下方に貝類が通過できない網材を水槽の底面と所定間隔おいて敷設した請求項１〜３いずれか記載の貝類の循環式飼育装置。
【請求項５】
水槽の底隅部に気泡を放散する散気管を水の流れ方向に沿って配管し、循環方向と直交する方向に対流を発生させるようにした請求項１〜４いずれか記載の貝類の循環式飼育装置。
【請求項６】
仕切板の上端に邪魔板を部分的に突設し、散気管で発生した対流の下降流が水槽の幅方向に均一に生じるようにした請求項５記載の貝類の循環式飼育装置。
【請求項７】
仕切板の側面に開口を形成し、通水と貝類の移動ができるようにした請求項１〜６いずれか記載の貝類の循環式飼育装置。
【請求項８】
水槽の上端に複数本のハンガーを水の流れ方向と直交する方向に所定間隔おいて架設し、仕切板の両側上端に前記ハンガーに掛止する掛止片を形成し、同掛止片をハンガーに掛止して仕切板を水中に吊り下げできるようにした請求項１〜７いずれか記載の貝類の循環式飼育装置。
【請求項９】
仕切板が繊維強化プラスチックに珪澡土を混入して構成したものである請求項１〜８いずれか記載の貝類の循環式飼育装置。
【発明の詳細な説明】
【０００１】
【発明の属する技術分野】
本発明は、貝類の循環式飼育装置に関し、詳しくは水槽を仕切る仕切板が循環する水流を受けても揺動し難いようにするとともに仕切板間を貝類が移動し易くする技術に係る。
【０００２】
【従来の技術】
従来の循環式飼育装置としては、特開２０００−３４２１０５号公報に記載の魚介類の循環式飼育装置の仕切装置があり、水の循環する水槽内に貝類の飼料を配置する水平な張出板が側面に突設された垂直の仕切板を多数枚脱着自在に所定間隔おいて吊設した構成が図９に示されている。
【０００３】
ところで、前記構成の装置は、各仕切板を円滑に脱着するために仕切板間の間隔が張出板の突出幅より大きくとられている。従って、仕切板を吊設後、張出板と仕切板の側面の間に隙間が生じ、水槽内を循環する水流の力を受けて仕切板の下方が揺動したり貝類の移動を妨げたりして貝類の育成に悪影響を与える問題があった。
【０００４】
【発明が解決しようとする課題】
本発明が解決しようとする課題は、従来のこれらの問題点を解消し、水槽に仕切板を列設後循環する水流の力を受けても揺動し難くするとともに貝類が移動し易いようにして貝類の育成に影響が出ないようにする貝類の循環式飼育装置を提供することにある。
【０００５】
【課題を解決するための手段】
かかる課題を解決した本発明の構成は、
１）水が循環する水槽内に水平な狭幅の張出板を側面に複数突設した垂直の仕切板を水の流れ方向に略平行に且つ水槽の幅方向に沿って所定間隔おいて複数配列し、仕切板の張出板を水槽の幅方向の隣接する仕切板の側面に押し付けた状態で各仕切板を固定する固定手段を設け、隣接する仕切板同士を張出板の突設幅間隔に固定して循環する水流を受けても仕切板の揺動が少なく且つ各仕切板が個別に脱着できるようにした貝類の循環式飼育装置
２）  固定手段が、水槽の壁面に面する仕切板の側面にボルトを水平に螺着し、同ボルトの先端を水槽の壁面に当ててボルトの螺着位置を変えることで仕切板の張出板を隣接する他の仕切板の側面へ押し付けて各仕切板を水槽に固定するようにしたものである前記１）記載の貝類の循環式飼育装置
３）  張出板を上方から全部又は一部見えるようにずらして突設した前記１）又は２）記載の貝類の循環式飼育装置
４）  仕切板の下方に貝類が通過できない網材を水槽の底面と所定間隔おいて敷設した前記１）〜３）いずれか記載の貝類の循環式飼育装置
５）  水槽の底隅部に気泡を放散する散気管を水の流れ方向に沿って配管し、循環方向と直交する方向に対流を発生させるようにした前記１）〜４）いずれか記載の貝類の循環式飼育装置
６）  仕切板の上端に邪魔板を部分的に突設し、散気管で発生した対流の下降流が水槽の幅方向に均一に生じるようにした前記５）記載の貝類の循環式飼育装置７）  仕切板の側面に開口を形成し、通水と貝類の移動ができるようにした前記１）〜６）いずれか記載の貝類の循環式飼育装置
８）  水槽の上端に複数本のハンガーを水の流れ方向と直交する方向に所定間隔おいて架設し、仕切板の両側上端に前記ハンガーに掛止する掛止片を形成し、同掛止片をハンガーに掛止して仕切板を水中に吊り下げできるようにした前記１）〜７）いずれか記載の貝類の循環式飼育装置
９）  仕切板が繊維強化プラスチックに珪澡土を混入して構成したものである前記１）〜８）いずれか記載の貝類の循環式飼育装置
にある。
【０００６】
【作用】
本発明によれば、仕切板の張出板を水槽の幅方向の隣接する仕切板の側面に押し付けた状態で各仕切板を固定する固定手段を設けたから、隣接する仕切板同士を張出板の突設幅間隔に固定して循環する水流を受けても仕切板の揺動が少なくなり、貝類が張出板を介して仕切板間を容易に移動できるようになる。
【０００７】
【発明の実施の形態】
本発明の仕切板の配列方法としては、水槽の上端に複数本のハンガーを水の流れ方向と直交する方向に所定間隔おいて架設し、仕切板の両側上端に前記ハンガーに掛止する掛止片を形成し、同掛止片をハンガーに掛止して仕切板を水中に吊り下げできるようにしたものが脱着が容易に行えて好ましい。また、固定手段としては、水槽の壁面に面する仕切板の側面にボルトを水平に螺着し、同ボルトの先端を水槽の壁面に当ててボルトの螺着位置を変えることで仕切板の張出板を隣接する他の仕切板の側面へ押し付けて各仕切板を水槽に固定するようにしたものが、低コストで確実に仕切板同士を張出板の突設幅間隔に固定できる。
【０００８】
仕切板を構成する素材としては、繊維強化プラスチックに珪澡土及び必要に応じて所要の充填材を混入して構成したものが貝類の付着や育成が良好で且つ軽量で取り扱いが容易となり好ましい。また、張出板を上方から全部又は一部見えるようにずらして突設すると飼料の配置が容易に行える。さらに、仕切板の側面には開口を形成して通水と貝類の移動ができるようにしてもよい。
【０００９】
水槽の底隅部には気泡を放散する散気管を水の流れ方向に沿って配管すると、循環方向と直交する方向に対流を発生させてよりムラなく循環させることが可能となる。また、このとき仕切板の上端に邪魔板を部分的に突設すると、散気管で発生した対流の下降流が水槽の幅方向に均一に生じて好ましい。なお、仕切板の下方に貝類が通過できない網材を水槽の底面と所定間隔おいて敷設すると、貝類から排出された糞や落下した飼料を水底に沈澱させて水流で排出させることで水槽内を衛生に保持できる。
【００１０】
【実施例】
以下、本発明の実施例を図面に基づいて具体的に説明する。図１〜５に示す実施例はアワビを人工飼育する飼育装置に本発明を適用した例である。図１は実施例の仕切板の斜視図、図２は実施例の循環式飼育装置の平面図、図３は図２のＡ−Ａ断面図、図４は図２のＢ−Ｂ断面図、図５は実施例のアワビの配置を示す説明図である。図中、１は仕切板、１ａは掛止片、１ｂは邪魔板、２は張出板、３は開口、４は水槽、４ａは中仕切壁、４ｂは排水口、５はハンガー、６はボルト、７はネット、８は散気管、９はポンプ、Ａはアワビ、Ｓは飼料、Ｗは水である。
【００１１】
本実施例では、図１に示すように珪澡土及び充填材が混入された比重１．２のＦＲＰ（繊維強化プラスチック）からなる長さ６６０ｍｍ，高さ６００ｍｍの仕切板１の側面に断面Ｉ状の９５ｍｍ幅の張出板２を７箇ずらして突設し、上部及び中央部に通水及びアワビＡが行き来するための楕円状の開口３を４箇所形成している。仕切板１の両側上部にはハンガー５に掛止する掛止片１ａを形成するとともに、上端には対流の下降流を水槽４の幅方向に均一に生じさせる邪魔板１ｂを２箇所突設している。
【００１２】
図２〜４に示すように、前記仕切板１を中仕切壁４ａで仕切られた水槽４の両区画内に３体及び張出板２を省略した仕切板１を水の流れ方向に且つ水槽４の幅方向に沿って掛止片１ａをハンガー５に掛止して所定間隔に吊設し、水槽４の壁面に面する仕切板１の側面に螺着したボルト６の先端を水槽４の壁面に当ててボルト６の螺着位置を変えることで仕切板１の張出板２を隣接する他の仕切板１の側面へ押し付けて各仕切板１を水槽４に固定している。
【００１３】
仕切板１の下方にはアワビＡが通過できないネット７を水槽４の底面から所定間隔おいて敷設するとともに、水槽４両側の仕切板１下方に気泡を水中に放散させる散気管８を水の流れ方向に沿って配管し、図示しない空気供給装置で空気を給気するようにしている。
【００１４】
本実施例では、水槽４内に水Ｗを一方から給水するとともに他方でポンプ９により吸水して対向側に排水することで水槽４内を所定水速で時計廻りに循環させ、アワビＡの稚貝を各仕切板１の側面に付着させる。そして、図５に示すようにワムシやプランクトン類，藻類等の飼料Ｓを水槽４内に投下すると、飼料Ｓが水中を沈降して張出板２上に配置され、アワビＡが飼料Ｓを食して育成される。
【００１５】
アワビＡから排出された糞や張出板２に配置されなかった飼料Ｓの一部はネット７を通過して水槽４の水底に沈澱し、循環する水Ｗの流れとともに移動して排水口４ｂから外部に排出される。散気管８からは気泡が上方に放散され、その気泡で底面付近の水Ｗを上昇させて対流を生じさせるとともに、仕切板の上端に突設した邪魔板で対流の下降流が水槽の幅方向に均一に生じさせることで水槽内の水Ｗがムラなく循環される。
【００１６】
本実施例はこのように構成したから、仕切板１の張出板２を水槽４の幅方向の隣接する仕切板１の側面に押し付けた状態で各仕切板１を固定するボルト６を設けたことで、隣接する仕切板１同士を張出板２の突設幅間隔に固定して循環する水流を受けても仕切板１の揺動が低減できるとともに、アワビＡが張出板２を介して仕切板１間を自由に移動し易くなり、アワビＡの育成に貢献する。
【００１７】
【発明の効果】
以上説明したように、本発明によれば水槽に仕切板を列設後、循環する水流の力を受けても揺動を少なくするとともに貝類が仕切板間を移動し易くして貝類の育成に影響が出ないようにする貝類の循環式飼育装置を提供できる。
【図面の簡単な説明】
【図１】実施例の仕切板の斜視図である。
【図２】実施例の循環式飼育装置の平面図である。
【図３】図２のＡ−Ａ断面図である。
【図４】図２のＢ−Ｂ断面図である。
【図５】実施例のアワビの配置を示す説明図である。
【符号の説明】
１  仕切板
１ａ  掛止片
１ｂ  邪魔板
２  張出板
３  開口
４  水槽
４ａ  中仕切壁
４ｂ  排水口
５  ハンガー
６  ボルト
７  ネット
８  散気管
９  ポンプ
Ａ  アワビ
Ｓ  飼料
Ｗ  水
【図１】
0003671034.tif 000002
【図２】
0003671034.tif 000003
【図３】
0003671034.tif 000004
【図４】
0003671034.tif 000005
【図５】
0003671034.tif 000006